(57)【要約】【課題】本発明の課題は、改良した螺旋構造の高周波アブレーションカテーテルを提供することである。【解決手段】長尺状のカテーテル本体を有し、前記カテーテル本体の前端には螺旋状の電極支持体が設けられ、前記電極支持体には複数の電極が設けられ、前記カテーテル本体の後端には制御ハンドルが設けられている、螺旋構造の高周波アブレーションカテーテルであって、前記電極支持体と前記カテーテル本体とにおける何れかの管腔内には摺動可能な支持密着調節ワイヤが設けられ、前記支持密着調節ワイヤは、制御ハンドルから離間する軟性部と、制御ハンドルに接近する剛性部とに分けられている、螺旋構造の高周波アブレーションカテーテル。【選択図】図１ａ
2020116423.tif 000002
【特許請求の範囲】
【請求項１】
長尺状のカテーテル本体を有し、
前記カテーテル本体の前端には螺旋状の電極支持体が設けられ、前記電極支持体には複数の電極が設けられ、前記カテーテル本体の後端には制御ハンドルが設けられている、螺旋構造の高周波アブレーションカテーテルであって、
前記電極支持体と前記カテーテル本体とにおける何れかの管腔内には摺動可能な支持密着調節ワイヤが設けられ、
前記支持密着調節ワイヤは、制御ハンドルから離間する軟性部と、制御ハンドルに接近する剛性部とに分けられていることを特徴とする螺旋構造の高周波アブレーションカテーテル。
【請求項２】
前記支持密着調節ワイヤの先端は、前記電極支持体を通過した後、前記電極支持体外に規制され、前記電極支持体の遠位端に対してカテーテルから離間する方向へ移動可能であり、
前記支持密着調節ワイヤの末端は、前記カテーテル本体を通過し、前記支持密着調節ワイヤの前後移動を制御するための前記制御ハンドルに固定されていることを特徴とする請求項１に記載の螺旋構造の高周波アブレーションカテーテル。
【請求項３】
前記支持密着調節ワイヤが、剛性部を電極支持体内に位置させ、軟性部を電極支持体外に位置させるように前方へ移動するときに、前記電極支持体は、前記支持密着調節ワイヤの剛性部の作用によって、螺旋状の直径が小さくなり、長さが大きくなり、直線状になる傾向があり、
前記支持密着調節ワイヤが、軟性部を電極支持体内に位置させるように後退するときに、前記電極支持体は、螺旋状に復元することを特徴とする請求項１又は２に記載の螺旋構造の高周波アブレーションカテーテル。
【請求項４】
前記制御ハンドルには、前記支持密着調節ワイヤの末端に固定されたボタン移動部品が設けられ、ボタン移動部品の前記制御ハンドルにおける位置を変更することで、前記支持密着調節ワイヤの移動を制御することを特徴とする請求項３に記載の螺旋構造の高周波アブレーションカテーテル。
【請求項５】
前記支持密着調節ワイヤの先端には、現像ヘッドが設けられていることを特徴とする請求項１に記載の螺旋構造の高周波アブレーションカテーテル。
【請求項６】
前記支持密着調節ワイヤは、後方に延伸する分岐調節ワイヤを有し、前記分岐調節ワイヤの先端は、前記支持密着調節ワイヤの先端に固定され、或いは、前記分岐調節ワイヤの先端は、前記軟性部における何れかの部位に固定され、或いは、前記分岐調節ワイヤは、前記軟性部から外側へ分岐された細いワイヤであり、前記分岐調節ワイヤの後端は、前記電極支持体のアウターチューブに設けられた孔から突き抜けるとともに前記電極支持体又はカテーテル本体に設けられた孔から入り込み、その後に、前記支持密着調節ワイヤの剛性部と並んで前記カテーテル本体内の管腔に沿ってチューブ外に延伸し、制御ハンドル内に入り、第２制御部品に固定されていることを特徴とする請求項１に記載の螺旋構造の高周波アブレーションカテーテル。
【請求項７】
前記軟性部の長さは、前記電極支持体のアウターチューブの長さ以上であることを特徴とする請求項１に記載の螺旋構造の高周波アブレーションカテーテル。
【請求項８】
前記軟性部の前端には、ストレートヘッド型フレキシブルガイドワイヤ又はエルボ型フレキシブルガイドワイヤが設けられていることを特徴とする請求項１に記載の螺旋構造の高周波アブレーションカテーテル。
【請求項９】
前記軟性部は、前記剛性部よりも直径が小さい細いワイヤで作製され、前記軟性部と前記剛性部は、一体成形したり、直径の異なる２本の細いワイヤによって組み付けられてなることを特徴とする請求項１に記載の螺旋構造の高周波アブレーションカテーテル。
【請求項１０】
前記軟性部は、ばね構造又はフレキシブルホース構造を用いていることを特徴とする請求項１に記載の螺旋構造の高周波アブレーションカテーテル。
【請求項１１】
前記電極支持体はアウターチューブを含み、前記アウターチューブの外周には複数の電極が嵌設され、前記アウターチューブ内には複数の管腔が設けられ、一部の管腔のそれぞれには、熱電対の素線と高周波ケーブルが１組設けられ、
各々の前記電極内には、高周波ケーブルと熱電対の素線が１組設けられ、前記高周波ケーブルは前記電極に接続され、前記熱電対の素線は前記電極と絶縁で設けられていることを特徴とする請求項１に記載の螺旋構造の高周波アブレーションカテーテル。
【請求項１２】
前記電極支持体内には、螺旋定型ワイヤが設けられていることを特徴とする請求項１に記載の螺旋構造の高周波アブレーションカテーテル。
【請求項１３】
請求項１から請求項１２の何れか一項に記載の高周波アブレーションカテーテルと、前記高周波アブレーションカテーテルに接続された制御ハンドル及び高周波アブレーションホストとを含む高周波アブレーション機器。
【請求項１４】
長尺状のカテーテル本体を有し、
前記カテーテル本体の前端には螺旋状の電極支持体が設けられ、前記電極支持体には１つ又は複数の電極が設けられ、前記カテーテル本体の後端には制御ハンドルが設けられている、螺旋構造の高周波アブレーションカテーテルであって、
密着調節ワイヤの後部は、前記カテーテル本体における何れかの管腔内に摺動可能に設けられ、かつその後端が前記制御ハンドルに設けられた制御部品に接続されたり、前記制御ハンドルを通過した後に外付けの制御部品に接続され、
前記密着調節ワイヤの前部は、前記電極支持体を突き抜けた後に、前記電極支持体外に露出し、かつその前端が電極支持体内に戻って固定されていることを特徴とする螺旋構造の高周波アブレーションカテーテル。
【請求項１５】
前記密着調節ワイヤの前端は、電極支持体内に戻った後に、前記電極支持体及び前記カテーテル本体内の管腔を経由してカテーテル本体の後端に戻り、前記制御ハンドル、又は前記制御部品に固定されていることを特徴とする請求項１４に記載の螺旋構造の高周波アブレーションカテーテル。
【請求項１６】
前記密着調節ワイヤの前端は、電極支持体内に戻った後に、前記電極支持体の前端に固定されていることを特徴とする請求項１４に記載の螺旋構造の高周波アブレーションカテーテル。
【請求項１７】
前記カテーテル本体と前記電極支持体とにおける何れかの管腔を摺動して設けられた支持ワイヤをさらに含むことを特徴とする請求項１５又は１６に記載の螺旋構造の高周波アブレーションカテーテル。
【請求項１８】
前記電極支持体内に設けられた螺旋定型ワイヤをさらに含むことを特徴とする請求項１７に記載の螺旋構造の高周波アブレーションカテーテル。
【請求項１９】
前記支持ワイヤの前端には、現像ヘッド及び／又はフレキシブルガイドワイヤが設けられていることを特徴とする請求項１７に記載の螺旋構造の高周波アブレーションカテーテル。
【請求項２０】
前記制御ハンドル上又は前記制御ハンドル外には、前記支持ワイヤの末端と固定するための第２制御部品がさらに設けられていることを特徴とする請求項１７に記載の螺旋構造の高周波アブレーションカテーテル。
【請求項２１】
前記カテーテル本体と前記電極支持体とにおける何れかの管腔に固定して設けられている支持ワイヤをさらに含み、
前記支持ワイヤの前記電極支持体内における部分は、螺旋状に定型され、螺旋定型部になっていることを特徴とする請求項１５又は１６に記載の螺旋構造の高周波アブレーションカテーテル。
【請求項２２】
前記密着調節ワイヤの前端は、電極支持体内に戻った後に、前記電極支持体の前端を通過して外側に固定、又は規制され、
前記密着調節ワイヤは、支持ワイヤと兼用していることを特徴とする請求項１４に記載の螺旋構造の高周波アブレーションカテーテル。
【請求項２３】
前記密着調節ワイヤの前端には、現像ヘッド及び／又はフレキシブルガイドワイヤが設けられていることを特徴とする請求項２２に記載の螺旋構造の高周波アブレーションカテーテル。
【請求項２４】
前記電極支持体内に設けられた螺旋定型ワイヤをさらに含むことを特徴とする請求項２３に記載の螺旋構造の高周波アブレーションカテーテル。
【請求項２５】
前記カテーテル本体と前記電極支持体とにおける何れかの管腔に設けられた支持ワイヤをさらに含み、かつ、前記密着調節ワイヤの前端は、支持ワイヤに固定され、或いは、前記密着調節ワイヤは、前記支持ワイヤから外側へ分岐された細いワイヤであることを特徴とする請求項１４に記載の螺旋構造の高周波アブレーションカテーテル。
【請求項２６】
前記支持ワイヤの前記電極支持体内における部分は、螺旋状に定型され、螺旋定型部になっていることを特徴とする請求項２５に記載の螺旋構造の高周波アブレーションカテーテル。
【請求項２７】
前記密着調節ワイヤの電極支持体外に露出している部分は、螺旋状の中心位置に設けられていることを特徴とする請求項１４に記載の螺旋構造の高周波アブレーションカテーテル。
【請求項２８】
前記密着調節ワイヤの前記電極支持体外に露出している部分は、螺旋状の中心位置から離間する外周位置に対して偏心させて設けられていることを特徴とする請求項１４に記載の螺旋構造の高周波アブレーションカテーテル。
【請求項２９】
前記電極支持体はアウターチューブを含み、
前記アウターチューブの外周には電極が嵌設され、前記アウターチューブ内には１つ又は複数の管腔が設けられ、一部の管腔のそれぞれには熱電対の素線と高周波ケーブルが１組設けられ、
各々の前記電極内には高周波ケーブルと熱電対の素線が１組設けられ、前記高周波ケーブルは前記電極に接続され、前記熱電対の素線は前記電極と絶縁に設けられていることを特徴とする請求項１４に記載の螺旋構造の高周波アブレーションカテーテル。
【請求項３０】
前記密着調節ワイヤの前記電極支持体外に露出している部分と前記電極支持体との間に固定点が存在しており、前記密着調節ワイヤの前端と後端は、それぞれカテーテル本体の後端から突き抜けて前記制御ハンドルに設けられた対応する制御部品に固定され、又は前記制御ハンドルを通過した後に外付けの対応する制御部品に接続されていることを特徴とする請求項１４に記載の螺旋構造の高周波アブレーションカテーテル。
【請求項３１】
前記密着調節ワイヤの前記電極支持体外に露出している何れかの点は、前記電極支持体における何れかの螺旋部の孔に固定されていることを特徴とする請求項３０に記載の螺旋構造の高周波アブレーションカテーテル。
【請求項３２】
前記密着調節ワイヤは、複数本のワイヤからなり、各ワイヤの前端が電極支持体に固定され、後端が外側から電極支持体における一部の螺旋部を引き回した後に電極支持体又はカテーテル本体内に入り込み、その後に、カテーテル本体の管腔を経由してカテーテル本体の末端から突き抜けて前記制御ハンドルに設けられた対応する制御部品に固定され、又は前記制御ハンドルを通過した後に外付けの対応する制御部品に接続され、前記複数本のワイヤはそれぞれ、前記電極支持体において異なる螺旋部の直径を独立して制御することを特徴とする請求項１４に記載の螺旋構造の高周波アブレーションカテーテル。
【請求項３３】
前記複数本のワイヤの電極支持体への固定点が、互いに異なっていることを特徴とする請求項３２に記載の螺旋構造の高周波アブレーションカテーテル。
【請求項３４】
前記複数本のワイヤのうち各２本のワイヤは、電極支持体において１つの共通の固定点を有することを特徴とする請求項３２に記載の螺旋構造の高周波アブレーションカテーテル。
【請求項３５】
各本のワイヤは、電極支持体において異なる位置から電極支持体内に入り込むことを特徴とする請求項３２に記載の螺旋構造の高周波アブレーションカテーテル。
【請求項３６】
前記複数本のワイヤの電極支持体への固定点が、同じであることを特徴とする請求項３２に記載の螺旋構造の高周波アブレーションカテーテル。
【請求項３７】
長尺状のカテーテル本体を有し、
前記カテーテル本体の前端には螺旋状の電極支持体が設けられ、前記電極支持体には１つ又は複数の電極が設けられ、前記カテーテル本体の後端には制御ハンドルが設けられている、螺旋構造の高周波アブレーションカテーテルであって、
密着調節ワイヤは、複数本のワイヤからなり、各ワイヤの前端が電極支持体に固定され、後端が外側から電極支持体における一部の螺旋部を引き回した後に電極支持体又はカテーテル本体内に入り込み、その後に、カテーテル本体の管腔を経由してカテーテル本体の末端から突き抜けて前記制御ハンドルに設けられた対応する制御部品に固定され、又は前記制御ハンドルを通過した後に外付けの対応する制御部品に接続され、前記複数本のワイヤはそれぞれ、前記電極支持体において異なる螺旋部の直径を独立して制御することを特徴とする螺旋構造の高周波アブレーションカテーテル。
【請求項３８】
前記複数本のワイヤの電極支持体への固定点が、互いに異なっていることを特徴とする請求項３７に記載の螺旋構造の高周波アブレーションカテーテル。
【請求項３９】
前記複数本のワイヤのうち各２本のワイヤは、電極支持体において１つの共通の固定点を有することを特徴とする請求項３７に記載の螺旋構造の高周波アブレーションカテーテル。
【請求項４０】
各本のワイヤは、電極支持体において異なる位置から電極支持体内に入り込むことを特徴とする請求項３７に記載の螺旋構造の高周波アブレーションカテーテル。
【請求項４１】
前記複数本のワイヤの電極支持体への固定点が、同じであることを特徴とする請求項３７に記載の螺旋構造の高周波アブレーションカテーテル。
【請求項４２】
前記電極支持体はアウターチューブを含み、前記アウターチューブの外周には電極が嵌設され、前記アウターチューブ内には１つ又は複数の管腔が設けられ、一部の管腔のそれぞれには熱電対の素線と高周波ケーブルが１組設けられ、
各々の前記電極内には高周波ケーブルと熱電対の素線が１組設けられ、前記高周波ケーブルは前記電極に接続され、前記熱電対の素線は前記電極と絶縁で設けられていることを特徴とする請求項３７に記載の螺旋構造の高周波アブレーションカテーテル。
【請求項４３】
請求項１４から請求項４２の何れか一項に記載の高周波アブレーションカテーテルと、前記高周波アブレーションカテーテルに接続された高周波アブレーションホストとを含むことを特徴とする高周波アブレーション機器。
【発明の詳細な説明】
【技術分野】
【０００１】
本発明は、螺旋構造の高周波アブレーションカテーテルに関し、同時に上記高周波アブレーションカテーテルを含む高周波アブレーション機器に関し、医療介入機器の技術分野に属する。
【背景技術】
【０００２】
高周波アブレーションシステムでは、高周波アブレーションカテーテルは、人体の血管に介入して高周波エネルギーの放出を行う重要な素子である。そのうち、高周波電極が高周波アブレーションカテーテル前端の支持体に取り付けられている。支持体は、高周波電極を支持し、高周波の開始前に拡張して密着し、高周波が終了した後に収縮して後方に後退する。高周波アブレーション手術は、直接人体の血管に介入して行われたものであるので、支持体の伸縮寸法は、人体の血管の直径に適応すべきである。
【０００３】
人体における血管の直径は、アブレーション部位によって異なっている。同時に、人体の血管の直径も人によって異なっている。例えば、腎動脈の直径は約２〜１２ｍｍで、大きく異なっている。従来技術では、高周波アブレーションカテーテルの電極端の伸縮寸法は一般的に一定であり、異なる人体の血管の直径寸法による要求に適応できず、異なる直径の人体の血管をカバーしにくい。よって、異なる患者に対して高周波アブレーション手術を行うときに、通常、仕様や型番が異なる高周波アブレーションカテーテルを交換してアブレーションを行う必要がある。それにしましても、ある場合に、手術時、高周波電極が同時に密着できないという問題も発生し、手術の効果に影響をしている。
【０００４】
高周波アブレーションカテーテルの構造は、電極及び電極支持体の形状によって、例えばバルーン型、穿刺針型、螺旋型及びフラップ状構造等、複数種類に分けられている。そのうち、電極支持体は、螺旋型の高周波アブレーションカテーテルを広く使用するように設計されている。
【０００５】
従来の螺旋型の高周波アブレーションカテーテルは、主に電極支持体を前もって定型し、その後にガイドカテーテル／シースを介して血管に入り、高周波アブレーションカテーテルを前方へ移動させたり、ガイドカテーテル／シースを後方へ移動させたりして、高周波アブレーションカテーテルをシース／ガイドカテーテルから外側へ移動したことで、電極支持体は、対象位置に入った後に定型の形状に復元する。単一の高周波アブレーションカテーテルにとって、予め定形された電極支持体の寸法が一定である。よって、従来の螺旋型の高周波アブレーションカテーテルであれば、異なる直径の血管に対する適応性には限界がある。
【発明の概要】
【発明が解決しようとする課題】
【０００６】
本発明が解決しようとする主な技術課題は、改良した螺旋構造の高周波アブレーションカテーテルを提供することにある。
【０００７】
本発明が解決する別の技術課題は、上記高周波アブレーションカテーテルを含む高周波アブレーション機器を提供することにある。
【課題を解決するための手段】
【０００８】
上記発明の目的を達成するために、本発明は以下の技術案を用いた。
【０００９】
長尺状のカテーテル本体を有し、
前記カテーテル本体の前端には螺旋状の電極支持体が設けられ、前記電極支持体には複数の電極が設けられ、前記カテーテル本体の後端には制御ハンドルが設けられている、螺旋構造の高周波アブレーションカテーテルであって、
前記電極支持体と前記カテーテル本体とにおける何れかの管腔内には摺動可能な支持密着調節ワイヤが設けられ、
前記支持密着調節ワイヤは、制御ハンドルから離間する軟性部と、制御ハンドルに接近する剛性部とに分けられている、螺旋構造の高周波アブレーションカテーテル。
前記支持密着調節ワイヤの先端は、前記電極支持体を通過した後、前記電極支持体外に規制され、前記電極支持体の遠位端に対してカテーテルから離間する方向へ移動可能であり、
前記支持密着調節ワイヤの末端は、前記カテーテル本体を通過し、前記支持密着調節ワイヤの前後移動を制御するための前記制御ハンドルに固定されていることが好ましい。
【００１０】
前記支持密着調節ワイヤが、剛性部を電極支持体内に位置させて軟性部を電極支持体外に位置させるように前方へ移動するときに、前記電極支持体は、前記支持密着調節ワイヤの剛性部の作用によって、螺旋状の直径が小さくなり、長さが大きくなり、直線状になる傾向があり、
前記支持密着調節ワイヤが、軟性部を電極支持体内に位置させるように後退するときに、前記電極支持体は、螺旋状に復元したことが好ましい。
【００１１】
前記制御ハンドルには、前記支持密着調節ワイヤの末端に固定されたボタン移動部品が設けられ、ボタン移動部品の前記制御ハンドルにおける位置を変更することで、前記支持密着調節ワイヤの移動を制御することが好ましい。
【００１２】
前記支持密着調節ワイヤの先端には、現像ヘッドが設けられていることが好ましい。
【００１３】
前記支持密着調節ワイヤは、後方に延伸する分岐調節ワイヤを有し、前記分岐調節ワイヤの先端は、前記支持密着調節ワイヤの先端に固定され、或いは、前記分岐調節ワイヤの先端は、前記軟性部における何れかの部位に固定され、或いは、前記分岐調節ワイヤは、前記軟性部から外側へ分岐された細いワイヤであり、前記分岐調節ワイヤの後端は、前記電極支持体のアウターチューブに設けられた孔から突き抜けるとともに前記電極支持体又はカテーテル本体に設けられた孔から入り込み、その後に、前記支持密着調節ワイヤの剛性部と並んで前記カテーテル本体内の管腔に沿ってカテーテル外に延伸し、制御ハンドル内に入り、第２制御部品に固定されていることが好ましい。
【００１４】
前記電極支持体はアウターチューブを含み、前記アウターチューブの外周には複数の電極が嵌設され、前記アウターチューブ内には複数の管腔が設けられ、一部の管腔のそれぞれには、熱電対の素線と高周波ケーブルが１組設けられ、
各々の前記電極内には、高周波ケーブルと熱電対の素線が１組設けられ、前記高周波ケーブルは前記電極に接続され、前記熱電対の素線は前記電極と絶縁で設けられていることが好ましい。
【００１５】
前記電極支持体内には、螺旋定型ワイヤが設けられていることが好ましい。
長尺状のカテーテル本体を有し、
前記カテーテル本体の前端には螺旋状の電極支持体が設けられ、前記電極支持体には１つ又は複数の電極が設けられ、前記カテーテル本体の後端には制御ハンドルが設けられている、螺旋構造の高周波アブレーションカテーテルであって、
密着調節ワイヤの後部は、前記カテーテル本体における何れかの管腔内に摺動可能に設けられ、かつその後端が前記制御ハンドルに設けられた制御部品に接続されたり、前記制御ハンドルを通過した後に外付けの制御部品に接続され、
前記密着調節ワイヤの前部は、前記電極支持体から突き抜けた後に、前記電極支持体外に露出し、かつその前端が電極支持体内に戻って固定されていることが好ましい。
前記密着調節ワイヤの前端は、電極支持体内に戻った後に、前記電極支持体及び前記カテーテル本体内の管腔を経由してカテーテル本体の後端に戻り、前記制御ハンドルに固定されたり、前記制御部品に固定されていることが好ましい。
【００１６】
或いは、前記密着調節ワイヤの前端は、電極支持体内に戻った後に、前記電極支持体の前端に固定されていることが好ましい。
【００１７】
或いは、前記密着調節ワイヤの前端は、電極支持体内に戻った後に、前記電極支持体の前端を通過して外側に固定されたり規制され、
前記密着調節ワイヤは、支持ワイヤと兼用していることが好ましい。
【００１８】
或いは、前記カテーテル本体と前記電極支持体とにおける何れかの管腔に設けられた支持ワイヤをさらに含み、かつ、前記密着調節ワイヤの前端は、支持ワイヤに固定され、或いは、前記密着調節ワイヤは、前記支持ワイヤから外側へ分岐された細いワイヤであることが好ましい。
【００１９】
前記支持ワイヤの前記電極支持体内における部分は、螺旋状に定型され、螺旋定型部になっていることが好ましい。
【００２０】
或いは、前記密着調節ワイヤの前記電極支持体外に露出している部分と前記電極支持体との間に固定点が存在しており、前記密着調節ワイヤの前端と後端は、それぞれカテーテル本体の後端から突き抜けて前記制御ハンドルに設けられた対応する制御部品に固定されたり、前記制御ハンドルを通過した後に外付けの対応する制御部品に接続されていることが好ましい。
【００２１】
前記密着調節ワイヤの前記電極支持体外に露出している何れかの点は、前記電極支持体における何れかの螺旋部の孔に固定されていることが好ましい。
【００２２】
或いは、前記密着調節ワイヤは、複数本のワイヤからなり、各ワイヤの前端が電極支持体に固定され、後端が外側から電極支持体における一部の螺旋部を迂回した後に電極支持体又はカテーテル本体内に入り込み、その後に、カテーテル本体の管腔を経由してカテーテル本体の末端から突き抜けて前記制御ハンドルに設けられた対応する制御部品に固定されたり、前記制御ハンドルを通過した後に外付けの対応する制御部品に接続され、前記複数本のワイヤはそれぞれ、前記電極支持体において異なる螺旋部の直径を独立して制御することが好ましい。
【００２３】
前記複数本のワイヤの電極支持体への固定点が、互いに異なっていることが好ましい。
【００２４】
前記複数本のワイヤのうち各２本のワイヤは、電極支持体において１つの共通の固定点を有することが好ましい。
各本のワイヤは、電極支持体において異なる位置から電極支持体内に入り込むことが好ましい。
或いは、前記複数本のワイヤの電極支持体への固定点が、同じであることが好ましい。
【００２５】
上記の高周波アブレーションカテーテルと、前記高周波アブレーションカテーテルに接続された高周波アブレーションホストとを含む高周波アブレーション機器。
【００２６】
本発明から提供される高周波アブレーションカテーテルは、異なる構造を有する支持密着調節ワイヤ又は密着調節ワイヤを設けることで、螺旋構造の高周波アブレーションカテーテルが、異なる直径の対象管腔に適応し、電極支持体における電極密着状態を良好にすることができる。異なる直径の対象管腔において、密着調節ワイヤを引くことで、電極支持体に設けられた電極の密着状態を良好にすることができる。また、密着調節ワイヤは複数本のワイヤの構造を用いてもよく、単一のワイヤを単独で制御することで、高周波アブレーションカテーテルにおいて異なる螺旋部をそれぞれ制御し、電極支持体の直径を調整する場合の難易度を簡素化した。
【図面の簡単な説明】
【００２７】
【図１ａ】第１実施例から提供される螺旋構造の高周波アブレーションカテーテルの構造模式図である。
【図１ｂ】図１ａに示された高周波アブレーションカテーテルの側面模式図である。
【図１ｃ】図１ａに示された高周波アブレーションカテーテルの制御ハンドルの構造模式図である。
【図２】第１実施例から提供される螺旋構造の高周波アブレーションカテーテルにおける電極支持体の断面模式図である。
【図３】第１実施例から提供される螺旋構造の高周波アブレーションカテーテルにおける第１の支持密着調節ワイヤの構造模式図である。
【図４】支持密着調節ワイヤの剛性部が電極支持体と重なっている場合の螺旋構造の高周波アブレーションカテーテルのＤ−Ｄ断面模式図である。
【図５】図４に示された螺旋構造の高周波アブレーションカテーテルのＩ部の一部拡大模式図である。
【図６ａ】支持密着調節ワイヤの軟性部が電極支持体と重なっている場合の螺旋構造の高周波アブレーションカテーテルの構造模式図である。
【図６ｂ】図６ａに示された高周波アブレーションカテーテルの側面模式図である。
【図７ａ】ボタン制御部品でワイヤを前方へ移動させて剛性部が電極支持体と重なっている場合の制御ハンドルの状態模式図である。
【図７ｂ】ボタン制御部品でワイヤを後方へ移動させて軟性部が電極支持体と重なっている場合の制御ハンドルの状態模式図である。
【図８】第１実施例から提供される螺旋構造の高周波アブレーションカテーテルにおける第２の支持密着調節ワイヤの構造模式図である。
【図９】第１実施例から提供される螺旋構造の高周波アブレーションカテーテルにおける第３の支持密着調節ワイヤの構造模式図である。
【図１０】第１実施例から提供される螺旋構造の高周波アブレーションカテーテルにおいて第４の支持密着調節ワイヤを使用した高周波アブレーションカテーテルの断面模式図である。
【図１１】第１実施例から提供される螺旋構造の高周波アブレーションカテーテルにおける第５の支持密着調節ワイヤの構造模式図である。
【図１２】第１実施例から提供される螺旋構造の高周波アブレーションカテーテルにおける第６の支持密着調節ワイヤの構造模式図である。
【図１３】第１実施例から提供される螺旋構造の高周波アブレーションカテーテルにおける制御ハンドルの別構造の模式図である。
【図１４】第２実施例から提供される螺旋構造の高周波アブレーションカテーテルにおける電極支持体及びカテーテル本体の構造模式図である。
【図１５】図１４に示された螺旋構造の高周波アブレーションカテーテルにおける電極支持体の横断面模式図である。
【図１６】図１４に示された螺旋構造の高周波アブレーションカテーテルのＡ−Ａ断面模式図である。
【図１７】図１６に示された螺旋構造の高周波アブレーションカテーテルのＩＩ部の拡大模式図である。
【図１８】第２実施例から提供される螺旋構造の高周波アブレーションカテーテルにおける密着調節ワイヤの別の設置方式の模式図である。
【図１９】第２実施例から提供される螺旋構造の高周波アブレーションカテーテルにおける制御ハンドルの構造模式図である。
【図２０Ａ】図１４に示された螺旋構造の高周波アブレーションカテーテルの最初状態の模式図である。
【図２０Ｂ】図２０Ａに示された螺旋構造の高周波アブレーションカテーテルの側面模式図である。
【図２１】図１４に示された螺旋構造の高周波アブレーションカテーテルのシースにおける状態模式図である。
【図２２】図１４に示された螺旋構造の高周波アブレーションカテーテルの細い血管における使用状態模式図である。
【図２３Ａ】図１４に示された螺旋構造の高周波アブレーションカテーテルの太い血管における使用状態模式図である。
【図２３Ｂ】図２３Ａに示された螺旋構造の高周波アブレーションカテーテルの側面模式図である。
【図２４】第３実施例から提供される螺旋構造の高周波アブレーションカテーテルにおける電極支持体及びカテーテル本体の構造模式図である。
【図２５】図２４に示された螺旋構造の高周波アブレーションカテーテルの使用状態模式図である。
【図２６Ａ】第３実施例から提供される螺旋構造の高周波アブレーションカテーテルにおける制御ハンドルの使用状態模式図である。
【図２６Ｂ】第３実施例から提供される螺旋構造の高周波アブレーションカテーテルにおける制御ハンドルの別の使用状態模式図である。
【図２７】第４実施例から提供される螺旋構造の高周波アブレーションカテーテルにおける電極支持体及びカテーテル本体の構造模式図である。
【図２８】第４実施例から提供される螺旋構造の高周波アブレーションカテーテルにおける支持ワイヤの構造模式図である。
【図２９】第５実施例から提供される螺旋構造の高周波アブレーションカテーテルにおける電極支持体及びカテーテル本体の構造模式図である。
【図３０】第５実施例から提供される螺旋構造の高周波アブレーションカテーテルにおける支持ワイヤ及び密着調節ワイヤの構造模式図である。
【図３１Ａ】第６実施例から提供される螺旋構造の高周波アブレーションカテーテルにおける電極支持体及びカテーテル本体の構造模式図である。
【図３１Ｂ】図３１Ａに示された螺旋構造の高周波アブレーションカテーテルの側面模式図である。
【図３２Ａ】第７実施例から提供される螺旋構造の高周波アブレーションカテーテルにおける電極支持体及びカテーテル本体の構造模式図である。
【図３２Ｂ】図３２Ａに示された螺旋構造の高周波アブレーションカテーテルの側面模式図である。
【図３３】第７実施例から提供される螺旋構造の高周波アブレーションカテーテルにおける電極支持体の内部構造模式図である。
【図３４Ａ】第７実施例から提供される螺旋構造の高周波アブレーションカテーテルにおいて密着調節ワイヤが後方に引かれて電極支持体が密着された後の状態模式図である。
【図３４Ｂ】図３４Ａに示された螺旋構造の高周波アブレーションカテーテルの側面模式図である。
【図３５】第８実施例から提供される螺旋構造の高周波アブレーションカテーテルにおける密着調節ワイヤの構造模式図である。
【図３６Ａ】第８実施例から提供される螺旋構造の高周波アブレーションカテーテルにおける密着調節ワイヤの別の構造模式図である。
【図３６Ｂ】第８実施例から提供される螺旋構造の高周波アブレーションカテーテルにおける密着調節ワイヤの更なる別の構造模式図。
【発明を実施するための形態】
【００２８】
以下、図面及び具体的な実施例に基づいて、本発明の技術内容を詳細かつ具体的に説明する。
【００２９】
第１実施例
図１ａ乃至図１ｃから分かるように、本発明から提供される螺旋構造の高周波アブレーションカテーテルは、長尺状のカテーテル本体を含み、カテーテル本体前端には螺旋状の電極支持体が設けられている。電極支持体の螺旋状の最初の直径はΦＤであり、最初の長さはＡ−１である（図１ａ及び図１ｂ参照）。ΦＤは、対象管腔の直径よりも大きいことが好ましい。カテーテル本体の後端には制御ハンドル８が設けられている（図１ｃ参照）。実際の作製中、電極支持体はカテーテル本体と一体して作製されてもよく、電極支持体は、カテーテル本体の前端が螺旋状となる部分である。電極支持体も独立して作製された後にカテーテル本体と一体するように接続されてもよい。螺旋状の電極支持体は、アウターチューブ１と、アウターチューブ１に設けられた複数の電極２とを含む。電極２は、アウターチューブ１の外周に嵌設されたブロック状の電極又は環状の電極であってもよい。電極２の上面は、アウターチューブ１の外面と面一になり、又はアウターチューブ１の外面よりも略高くなってもよい。電極２の上面もアウターチューブ１の外面よりも低くなってもよい。
【００３０】
電極支持体及びカテーテル本体内には、支持密着調節ワイヤ６を収納するための管腔がそれぞれ設けられている。電極支持体及びカテーテル本体の対応する管腔内には支持密着調節ワイヤ６が設けられている（図２参照）。支持密着調節ワイヤ６は、電極支持体及びカテーテル本体の対応する管腔内において前後を摺動可能である。支持密着調節ワイヤ６を収納するための管腔は、電極支持体及びカテーテル本体の中心孔であってもよく、中心周囲に分布している複数の管腔のうちの一つであってもよい。図１ａに示されるように、支持密着調節ワイヤ６の先端は、電極支持体を通過した後に電極支持体外に規制され、電極支持体の遠位端に対してカテーテル本体から離間した方向へ移動可能である。支持密着調節ワイヤ６の先端には現像ヘッド６３が設けられている。図１ｃに示されるように、支持密着調節ワイヤ６の末端は、カテーテル本体の中心孔を通過し、支持密着調節ワイヤ６の前後移動を制御するための制御ハンドル８に固定されている。制御ハンドル８にはボタン制御部品９が設けられている。支持密着調節ワイヤ６の末端は、カテーテル本体内の中心孔を通過した後にボタン制御部品９に固定されている。ボタン移動部品９の制御ハンドル８における位置を変更することによって、支持密着調節ワイヤ６は前後移動するように制御されている。
【００３１】
上記螺旋構造の高周波アブレーションカテーテルは、支持密着調節ワイヤ６の構造を改良して電極支持体の直径の変化を図り、ガイドカテーテル／シース及び対象管腔に挿入しやすくなる。同時に、対象管腔に到達した後、自然な螺旋状が復元されてもよい。図３に示されるように、この高周波アブレーションカテーテルでは、支持密着調節ワイヤ６は、制御ハンドル８から離間する軟性部６１（先端に接近する）と制御ハンドル８に接近する剛性部６２（末端に接近する）との両方を有する。軟性部６１の長さは、電極支持体のアウターチューブ１の長さ以上であることが好適である。勿論、特別な場合に、軟性部６１の長さも電極支持体のアウターチューブ１の長さよりも小さくなってもよい。制御ハンドル８で支持密着調節ワイヤ６と電極支持体との重ね領域を変更することにより、電極支持体の螺旋状の直径が変更されてもよい。
【００３２】
支持密着調節ワイヤ６が、剛性部６２を電極支持体内に位置させて軟性部６１を電極支持体外に位置させるように前方へ移動する時に、電極支持体の螺旋状形状は、支持密着調節ワイヤ６の剛性部６２の作用によって、直径が小さくなり、長さが大きくなり、直線状になる傾向がある。好適な場合に、電極支持体は、図４に示されるように直線状Ａを呈してもよい。支持密着調節ワイヤ６が後退して軟性部６１を電極支持体に入り込ませる時に、電極支持体は、電極支持体内に剛性部６２がなく軟性部６１だけがある時（図６ａ参照）まで、軟性部の入り込みに従って徐々に曲がっている。電極支持体は螺旋状に復元し、その直径ΦＣが対象管腔の直径（図６ｂ参照）と同等になり又は近くなっている。この場合、電極支持体の螺旋状の長さＡ−２は、最初の長さＡ−１よりも大きくなっている。つまり、この高周波アブレーションカテーテルでは、その剛性部６２を電極支持体のアウターチューブ１に重ねるように支持密着調節ワイヤ６の前方への移動を制御することで、ガイドカテーテル／シース又は対象管腔に適宜に入り込むように電極支持体の螺旋状の直径を小さくすることができる。同時に、電極支持体が対象管腔内に到達すると、支持密着調節ワイヤ６を後方に引いて、その軟性部６２を電極支持体のアウターチューブ１に重ねることで、電極支持体は螺旋状に復元し、密着を実現することができる。ボタン制御部品９の制御ハンドル８における位置については、図７ａ及び図７ｂに示されるように、ボタン移動部品９が左側の位置に移動する時に、軟性部６１は露出し、剛性部６２は電極支持体のアウターチューブ１と重なっている。ボタン移動部品９が右側の位置に移動する時に、支持密着調節ワイヤ６の軟性部６１は電極支持体のアウターチューブと重なっている。
【００３３】
さらに、電極支持体が自然に拡張して密着された後に、さらに支持密着調節ワイヤ６を引くことで、電極２を管壁に緊密に接触させて電極２の密着状態を改良するように、電極２の密着状況を微調整できる。上記高周波アブレーションカテーテルは、支持密着調節ワイヤ６が電極支持体内に設けられ、支持密着調節ワイヤ６の軟性部６１が電極支持体のアウターチューブと重なった後に、再び支持密着調節ワイヤ６を引き、支持密着調節ワイヤ６の可動幅が小さくなるので、電極支持体の形状だけを微調整することに用いられている。高周波アブレーションカテーテルを選択する時に、螺旋状の直径ΦＤが対象管腔の直径よりも大きくなり又は近くなる高周波アブレーションカテーテルを選択することが提案されている。このように、電極支持体が対象管腔において自動的に展開して復元螺旋状に復元する中、血管壁の作用によって、緊密な密着が可能になる。上記高周波アブレーションカテーテルは、直径が螺旋状の最初の直径よりも以下の対象管腔に対して良好な密着効果を有する。人体の腎動脈血管の直径範囲は２〜１２ｍｍである。太い血管や細い血管に対して、良好な適応性を有する上記高周波アブレーションカテーテルを確保するために、ΦＤ＞１２ｍｍとなる高周波アブレーションカテーテルを選択して使用することが提案されている。
【００３４】
また、本発明は、さらに支持密着調節ワイヤ６に分岐部のある高周波アブレーションカテーテルを提供している（図１０、図１１及び図１２参照）。この場合、電極支持体の螺旋状の最初の直径ΦＤが対象管腔の直径よりも小さくなってもよい。支持密着調節ワイヤ６は、軟性部６１から後方へ延伸する分岐部であって、図１０、図１１及び図１２における分岐調節ワイヤ６６を有する。分岐調節ワイヤ６６の先端は、支持密着調節ワイヤ６の先端に固定され、或いは、分岐調節ワイヤ６６の先端は、軟性部６１における何れかの部位に固定され、或いは、分岐調節ワイヤ６６は、軟性部６１から外側へ分岐された細いワイヤである。分岐調節ワイヤ６６の後端は、電極支持体のアウターチューブ１に設けられた孔１１から突き抜け、電極支持体のアウターチューブに設けられた孔１５又はカテーテル本体における孔から入り込み、その後に、支持密着調節ワイヤ６と並んでカテーテル本体内の管腔に沿ってカテーテル外へ延伸し、制御ハンドル８内に入り込み、制御ハンドル８の第２制御部品（又は独立して設けられた第２制御部品）に固定されている。太い血管で上記螺旋構造の高周波アブレーションカテーテルを使用する時に、電極支持体は、自然な螺旋状に復元した後に密着できない。この場合、支持密着調節ワイヤ６の分岐部（即ち、分岐調節ワイヤ６６）を引くことで、直径の太い血管に適応するように電極支持体螺旋状の直径を拡張することができる。この一部の構造内容について、以下、具体的に述べる。
【００３５】
以下、第１実施例から提供される螺旋構造の高周波アブレーションカテーテルの技術的な詳細について、さらに説明する。
電極支持体のアウターチューブ１は、単体の管腔又は複数の管腔であってもよい。アウターチューブ１は、高分子材料又は金属材料、例えばステンレス鋼又は記憶合金などの材料を用いて作製することができる。アウターチューブ１は、直管材、棒材を用いて加工してなってもよく、Ａ部を用いて螺旋状のような特殊形状のチューブに作製してもよい。図２及び図５に示されるように、アウターチューブ１が複数の管腔を使用する時に、電極支持体のアウターチューブ１内において中心孔に加え、複数の管腔が設けられている。そのうち、一部の管腔のそれぞれには、高周波ケーブル３と熱電対の素線４が１組設けられている。熱電対の素線４は、熱電対の素線の先端の絶縁層５によって被覆され、高周波ケーブル３及び電極２と隔離している。各組の高周波ケーブル３及び熱電対の素線４の先端は、個別電極内に設けられている。そのうち、高周波ケーブル３の先端は、電極２と緊密に溶接されている。熱電対の素線４の先端は溶接されて電極２と絶縁で設けられている。アウターチューブ１における何れかの管腔には、螺旋定型ワイヤ７がさらに設けられている。螺旋定型ワイヤ７は、支持電極支持体の螺旋状を支持するように螺旋変形領域であるＡ部に設けられている。勿論、電極支持体を直接に螺旋状に定型し、螺旋定型ワイヤ７を省略してもよい。例えば、記憶合金でアウターチューブを作製する時に、螺旋定型ワイヤ７を設けることも省略されてもよい。
【００３６】
電極２は、アウターチューブ１に固定され、その外面がアウターチューブ１の外面よりも低くなってもよく、アウターチューブ１の外面よりも低くならなくてもよい。複数の電極２は、電極支持体の螺旋状において円周方向に沿って均一に分布し、又は或不均一に分布している。複数の電極は、電極支持体において１周、１周以上又は１周不満に分布してもよい。電極２の内面は高周波ケーブル３と強固に溶接されている。熱電対の素線４の先端は溶接されている。熱電対の素線４の先端が溶接されている場所において、熱電対の素線の先端の絶縁層５が被覆されて絶縁された後、電極２内に設けられている。熱電対の素線の先端の絶縁層５は、熱収縮チューブ又は他のスリーブであってもよい。
【００３７】
以下、図面に基づいて、上記高周波アブレーションカテーテルに適用する複数種類の支持密着調節ワイヤの構造を例にして説明する。
【００３８】
図３に示されるように、本発明から提供される第１の支持密着調節ワイヤ６は、先端に近い軟性部６１とその残りの剛性部６２との両方を含む。支持密着調節ワイヤ６の先端には、対象管腔を現像して画像を形成するように現像ヘッド６３が設けられてもよい。
【００３９】
図８及び図９に示される２種類の支持密着調節ワイヤは、軟性部６１と剛性部６２を含む。同時、支持密着調節ワイヤ６の軟性部６１の前端には、ストレートヘッド型フレキシブルガイドワイヤ６４又はエルボ型フレキシブルガイドワイヤ６５が設けられているため、この支持密着調節ワイヤ６は、ガイドカテーテル／シースを代替して直接血管に入ることが可能となる。手術の操作は簡素化された。ガイドカテーテル／シースを省略したので、血管に入るカテーテルの直径は、大幅に減少可能となり、カテーテルは移動しやすくなった。
【００４０】
図１０乃至図１２に示される３種類の支持密着調節ワイヤは、それぞれ分岐調節ワイヤ６６を有する。３種類の分岐調節ワイヤ６６の構造がやや異なっている。具体的に、図１０に示される第４の支持密着調節ワイヤ６では、分岐調節ワイヤ６６の先端は、支持密着調節ワイヤ６の先端に固定され、その後に軟性部６１とともに後方に延伸している。分岐調節ワイヤ６６の後端は、電極支持体のアウターチューブ１に設けられた孔１１から突き抜け、電極支持体又はカテーテル本体に設けられた別の孔１５から相応の管腔に入り込み、その後に、支持密着調節ワイヤ６と並んでカテーテル本体内の管腔に沿ってカテーテル外に延伸し、制御ハンドル８の第２制御部品に固定されている。
【００４１】
図１１に示される第５の支持密着調節ワイヤ６では、分岐調節ワイヤ６６の先端は、軟性部６１における何れかの部位に固定され、或いは、分岐調節ワイヤ６６は、軟性部６１から外側へ分岐された細いワイヤであり、その後に、分岐調節ワイヤ６６の後端は、電極支持体のアウターチューブ１に設けられた孔から突き抜け、電極支持体又はカテーテル本体に設けられた別の孔から入り込み、その後に、支持密着調節ワイヤ６と並んでカテーテル本体内の管腔に沿ってカテーテル外へ延伸し、制御ハンドルの第２制御部品に固定されている。
【００４２】
図１２に示される第６の支持密着調節ワイヤ６では、分岐調節ワイヤの設置方式は第４の支持密着調節ワイヤの構造と類似している。ただ、軟性部はばね構造を用いている。分岐調節ワイヤ６６は、ばね６１−１の何れかの部位から外側へ分岐された細いワイヤである。分岐調節ワイヤ６６の先端は、ばねに固定されている。分岐調節ワイヤ６６の後端は、電極支持体のアウターチューブ１に設けられた孔から突き抜け、電極支持体又はカテーテル本体に設けられた別の孔から入り込み、その後に、支持密着調節ワイヤ６の剛性部６２−１と並んでカテーテル本体内の管腔に沿ってカテーテル外へ延伸し、制御ハンドル８に入り込み、制御ハンドルの第２制御部品に固定されている。
【００４３】
上記３種類の支持密着調節ワイヤを使用すると、高周波アブレーションカテーテルは、直径が螺旋状の最初の直径ΦＤよりも大きい血管又は対象管腔において自然な螺旋状に復元した後に、依然として密着できず、第２制御部品で分岐調節ワイヤ６６を引くと、電極が密着するように電極支持体の直径を拡張することができる。説明すべき点としては、制御ハンドル８に第２制御部品を設ける方式は、ボタン制御部品９を設ける方式と類似してもよい。上記第２制御部品は、図１３に示される実施例のように制御ハンドル８に対して独立して設けられてもよい。分岐調節ワイヤ６６が支持密着調節ワイヤ６と並んで制御ハンドル８に入った後に、支持密着調節ワイヤ６の末端６７はボタン制御部品９に固定され、ボタン制御部品９を押圧することで、制御ハンドル８におけるその位置を変更して電極支持体の形態を変更することができる。分岐調節ワイヤ６６は、制御ハンドル８の他の側面に設けられている１つの開口から張り出し、その末端６８に第２制御部品１０が固定され、制御ハンドル８の外側で第２制御部品１０を引くことで、電極支持体の螺旋状の直径をさらに変更することができる。
【００４４】
図１０乃至図１２に示される支持密着調節ワイヤには、複数種類の異なる構造の軟性部がそれぞれ示されている。そのうち、図１０の支持密着調節ワイヤ６の軟性部６１は、図３、図８、図９に示される前の３種類の支持密着調節ワイヤと構造が同じである。細いワイヤ又はフレキシブルホースにより軟性部６１が構成されている。軟性部６１は、直径が剛性部よりも小さい細いワイヤによって作製されてもよい。軟性部６１と剛性部６２は、同じ種類の材料で一体成形されたり、２本の異なる直径の細いワイヤから組み付けられて形成されてもよい（例えば溶接工程によって組み付けられる）。軟性部６１はフレキシブルホース構造を用いてもよい。図１２に示される支持密着調節ワイヤでは、軟性部６１−１はばね構造を用いている。軟性部６１−１が電極支持体内に位置しているときに、ばねが良い湾曲性を有するため、電極支持体は、螺旋定型ワイヤ７の作用によって螺旋状に復元することができる。それに従って、軟性部６１−１は変形する。
【００４５】
以上、第１実施例から提供される螺旋構造の高周波アブレーションカテーテルを説明した。この実施例において、ガイドワイヤの構造に鑑み、螺旋構造の高周波アブレーションカテーテルにおける支持密着調節ワイヤを改良しているものの、両者の具体的な作用には相違がある。ガイドワイヤにおいて、軟性部は、自発的に血管の形状に適応させ、ガイドワイヤの方向を変更し、それが対象管腔に順調に到達するようにし、剛性部はガイドワイヤを支持する。本発明から提供される螺旋構造の高周波アブレーションカテーテルでは、電極支持体を支持密着調節ワイヤ６の異なる領域に重ねるように制御することにより、電極支持体の形態を変更し、高周波アブレーションカテーテルがガイドカテーテル／シース入り込む場合の難易度を軽減することができる。構造が簡単で、操作が容易である。支持密着調節ワイヤ６が前方に向かって剛性部に移動して螺旋状電極支持体２と重なるときに、螺旋状電極支持体は、支持密着調節ワイヤ６の剛性部の作用によって、直径が小さくなり、長さが大きくなり、直線状になる傾向があり、ガイドカテーテル／シースに入りやすくなり、同時に、高周波アブレーションカテーテル全体が対象管腔を移動することも容易である。支持密着調節ワイヤ６が軟性部に後退して螺旋状電極支持体と重なるときに、螺旋状電極支持体は、螺旋状に復元し、密着することができる。なお、支持密着調節ワイヤを後方へ引き続き引くことで、電極の密着状態を改良することができる。また、支持密着調節ワイヤの前端にはストレートヘッド型フレキシブルガイドワイヤ又はエルボ型フレキシブルガイドワイヤが増設されることにより、この支持密着調節ワイヤは、ガイドカテーテル／シースを代替して直接血管に入ることが可能となる。手術の操作は簡素化された。
【００４６】
また、上記支持密着調節ワイヤを使用すると、高周波アブレーションカテーテルが人体の血管に入る場合の難易度を簡素化するだけでなく、支持密着調節ワイヤを引くことで、螺旋状電極支持体の直径の拡張をさらに変更し、異なる直径の対象管腔に対する適応性を良くすることができる。
【００４７】
第１実施例から提供される螺旋構造の高周波アブレーションカテーテルでは、電極支持体における何れかの管腔に設けられた支持密着調節ワイヤを用いて電極支持体の螺旋状の直径を調節する。本発明から提供される他の実施例では、螺旋構造の高周波アブレーションカテーテルに電極支持体を通過したり迂回した密着調節ワイヤを設け、電極支持体の直径の拡張を調節し、異なる直径の対象管腔に対する適応性を良くすることができる。具体的には以下の説明を参照する。
【００４８】
第２実施例
図１４乃至図１９から分かるように、本発明から提供される螺旋構造の高周波アブレーションカテーテルは、長尺状のカテーテル本体を含む。カテーテル本体の前端には、螺旋状の電極支持体が設けられている。カテーテル本体の後端には、制御ハンドル２０が設けられている（図１９参照）。実際の作製中、電極支持体はカテーテル本体と一体して作製することができる。電極支持体は、カテーテル本体において前端が螺旋状に定型された部分である。電極支持体は、独立して作製された後にカテーテル本体と一体して接続することができる。
【００４９】
図１４に示されるように、螺旋状の電極支持体は、アウターチューブ１と、アウターチューブ１に設けられた１つ又は複数の電極２を含む。電極２は、アウターチューブ１の外周に嵌設されたブロック状の電極又は環状の電極であってもよい。電極２の上面は、アウターチューブ１の外面と面一となり、又はアウターチューブ１の外面よりも略高くなってもよい。電極２の上面もアウターチューブ１の外面よりも低くなってもよい。複数の電極２は、電極支持体の螺旋状において円周方向に沿って均一に分布し、又は不均一に分布している。複数の電極は、電極支持体において１周、１周以上又は１周不満に分布してもよい。
【００５０】
電極支持体のアウターチューブ１は、単体の管腔又は複数の管腔であってもよい。アウターチューブ１は高分子材料又は金属材料で作製され、例えば、ステンレス鋼又は記憶合金等の材料で作製してもよい。アウターチューブ１は、直管材、棒材によって加工してなってもよく、Ａ部を用いて螺旋状の特殊形状のチューブに作製してもよい。図１５及び図１７に示されるように、アウターチューブ１が複数の管腔を使用するときに、電極支持体のアウターチューブ１内において中心管腔に加え、複数の管腔が設けられている。そのうち、一部の管腔のそれぞれには、高周波ケーブル３と熱電対の素線４が１組設けられている。各組の高周波ケーブル３及び熱電対の素線４の先端が個別電極２内に設けられている。そのうち、高周波ケーブル３の先端は電極２と緊密に固定され、例えば溶接、導電ペーストの接着等の工程によって接続されている。２本の熱電対の素線４の先端は溶接され、熱電対の素線の先端の絶縁層５によって被覆され、その後に高周波ケーブル３及び電極２と絶縁で設けられている。
【００５１】
図１５に示されるように、アウターチューブ１の何れかの管腔には螺旋定型ワイヤ６が設けられている。螺旋定型ワイヤ６は、支持電極支持体の螺旋状を支持するように螺旋変形領域部内に固定されている。勿論、電極支持体を螺旋状に直接に定型し、螺旋定型ワイヤ６を省略してもよい。例えば、記憶合金又は高分子材料でアウターチューブを作製する時に、螺旋定型ワイヤ６の設置を省略してもよい。
【００５２】
図１６に示されるように、カテーテル本体及び電極支持体内の中心管腔には支持ワイヤ７が設けられている。支持ワイヤ７は、可動的に中心管腔に設けられてもよく、中心管腔に固定して設けられてもよい。或いは、支持ワイヤ７は、カテーテル本体及び電極支持体の他の管腔に設けられてもよい。支持ワイヤ７の先端には、対象管腔内に対しタイムリーに画像を形成する現像ヘッドに設けられている。同時、支持ワイヤ７の前端には、フレキシブルガイドワイヤ９がさらに設けられている。フレキシブルガイドワイヤ９はストレートヘッド型フレキシブルガイドワイヤであってもよく、図示したエルボ型フレキシブルガイドワイヤであってもよい。これにより、この高周波アブレーションカテーテルは、ガイドカテーテル／シースを省略して直接血管に入ってもよい。手術の操作が簡素化された。
【００５３】
図１４乃至図１９から分かるように、カテーテル本体内には密着調節ワイヤ８を収納する管腔がさらに設けられている。密着調節ワイヤ８の後部は、カテーテル本体における何れかの管腔に摺動可能に設けられてもよく、かつその後端８０がカテーテル本体から突き抜けた後に制御ハンドル２０に入り込み、その後に制御ハンドル２０から突き抜けた後に外付けの制御部品２２に接続されている（図１９参照）。密着調節ワイヤ８は、カテーテル本体の管腔内を前後に摺動可能である。密着調節ワイヤ８を収納するための管腔は、中心管腔であってもよく、中心管腔の周辺に分布している複数の偏心管腔の一つであってもよい。図１４に示されるように、密着調節ワイヤ８の前部は、電極支持体の後端に近い孔１２から電極支持体外に突き抜けて電極支持体外に露出し、かつその前端が電極支持体前端に近い孔１１から電極支持体内に戻って固定されている。
【００５４】
密着調節ワイヤ８の前端は、固定位置が異なってもよく、電極支持体の前端に固定されてもよく、支持ワイヤ７の前端に固定されてもよく、さらに、螺旋定型ワイヤ６に固定されてもよく、或いは、電極支持体及びカテーテル本体内の対応する管腔から突き抜けてカテーテル本体の後端に戻って、密着調節ワイヤ８の後端とともに制御部品２２に固定されてもよい。
具体的に、図１６に示される構造において、密着調節ワイヤ８の前端は、電極支持体前端に近い孔１１から電極支持体内に戻った後に、電極支持体及びカテーテル本体内の管腔を経由して、密着調節ワイヤ８の後端とともにカテーテル本体の後端に戻り、その後に、密着調節ワイヤ８の前端と後端が共に図１９に示されるような同一の制御部品２２に固定され、或いは、密着調節ワイヤ８の前端と後端において一端が制御ハンドル２０のケースに設けられている一方、他端が制御部品２２に固定されている。制御部品２２を引くことにより、電極支持体螺旋部の直径が変更されてもよい。
【００５５】
勿論、密着調節ワイヤ８の前端は、電極支持体の前端に簡易に固定されたり、支持ワイヤ７の前端又は支持ワイヤ７の電極支持体内に位置している何れかの部位に固定されたり、螺旋定型ワイヤ６における何れかの部位に固定されたり、電極支持体の管腔に固定されてもよく、その前端を固定させる機能があっていればよい。その後端から密着調節ワイヤ８を引くときに、密着調節ワイヤ８の作用によって、電極支持体は収縮変形を発生し、その螺旋状の直径が大きくなり、複数螺旋状の軸方向の間隔が収縮するようになっている。密着調節ワイヤ８の前端が支持ワイヤ７又は螺旋定型ワイヤ６に固定されたときに、密着調節ワイヤ８と支持ワイヤ７／螺旋定型ワイヤ６は、同一の材質で作製してもよい。この場合、密着調節ワイヤ８は、支持ワイヤ７／螺旋定型ワイヤ６から後方へ分岐された細いワイヤであると捉えられてもよい。
【００５６】
例えば、図１８に示される構造では、密着調節ワイヤ８の前端は与螺旋定型ワイヤ６の前端に固定されている。この場合、螺旋定型ワイヤ６と密着調節ワイヤ８は、同じ種類の細いワイヤで作製してもよい。密着調節ワイヤ８と螺旋定型ワイヤ６はそれぞれ、それらの前端から後方へ分岐された２本の細いワイヤ分岐部であり、螺旋定型ワイヤ６に対応する分岐部が電極支持体における何れかの管腔に固定され、密着調節ワイヤ８に対応する分岐部の後部が電極支持体及び／又はカテーテル本体の管腔を摺動可能である。密着調節ワイヤ８と螺旋定型ワイヤ６が異なる材質で作製するときに（例えば螺旋定型ワイヤ６が管材を、密着調節ワイヤ８が細いワイヤを使用する）、密着調節ワイヤ８の前端／前部と、螺旋定型ワイヤ６とは、溶接、かしめ、接着等の方式で組み付けられてもよい。
【００５７】
また、図１９に示されるように、上記構造では、制御ハンドル２０にはボタン制御部品２１が設けられ、支持ワイヤ７の末端７０はカテーテル本体から突き抜けた後に制御ハンドル２０に入り、ボタン制御部品２１に固定されている。支持ワイヤ７の末端に接続するための制御部品は、図面に示されるように制御ハンドル２０に設けられている他、制御部品２２と同様に制御ハンドル２０外に設けられてもよい。同様に、密着調節ワイヤ８に接続するための制御部品は、ボタン制御部品２１と同様に制御ハンドル２０に設けられてもよい。
図２０Ａ乃至図２３Ｂには、本発明から提供される第２実施例において、螺旋構造の高周波アブレーションカテーテルの異なる直径の管腔内における使用状態の模式図が表示されている。図２０Ａ及び図２０Ｂに示されるように、螺旋状の電極支持体の最初の直径ΦＢを１０ｍｍとし、首尾の電極の軸方向の間隔をＡとする高周波アブレーションカテーテルを例にしている。それがΦ２ｍｍのシース内に入るときに、電極支持体の形態は図２１に示されるように略直線状になっている。それがシースから張り出してΦ４ｍｍの血管に入るときに、電極支持体の螺旋状の直径ΦＢ−３は血管の直径による規制によって約４ｍｍになっている。この場合、電極は、電極支持体の自然拡張の作用によって、管壁と緊密に接触し、首尾の電極の軸方向の間隔（Ａ−３）＞Ａ（図２２参照）となっている。図２３Ａ及び図２３Ｂに示されるように、シースから張り出してΦ１２ｍｍの血管に入るときに、電極支持体は自然に拡張した後、その最初の直径ΦＢが対象管腔の直径よりも小さいため、電極２が密着できない。この場合、密着調節ワイヤ８を後方へ引くことで、電極支持体の螺旋状の直径は、ΦＢ−４まで増大し、対象管腔の直径と同等となることができる。複数の電極２は、密着調節ワイヤ８の作用によって管壁と緊密に接触している。この場合、首尾の電極の軸方向の間隔はＡ−４まで減少し、複数の電極の軸方向の間隔は減少した。しかし、対象管腔の直径が大きいため、複数の電極のアブレーションによる作用が互いに影響しないようにしてもよく、過度なアブレーションになる可能性がない。なお、図２０Ｂ及び図２３Ｂに示された側面図から分かるように、電極支持体の螺旋状に均一に分布する複数の電極２は、密着調節ワイヤ８の作用によって、その軸方向の間隔が小さくなり、螺旋間隔が変化する可能性がない。
【００５８】
図２０Ａ乃至図２３Ｂは、ΦＢを１０ｍｍとする電極支持体を例にして説明した。電極支持体の螺旋状の最初の直径が他の値（例えば、６ｍｍ、８ｍｍ）である場合、同様に、細い血管に入るときに、螺旋状電極支持体の自然拡張の作用によって、複数の電極は同時に良く密着してもよい。直径が螺旋状の最初直径よりも大きい対象管腔に入るときに、図２３Ａ及び図２３Ｂに示されるように、密着調節ワイヤを引くことで、複数の電極を同時に管壁と緊密に接触させてもよく、密着状態は良好となる。
【００５９】
第３実施例
図２４に示される高周波アブレーションカテーテルは、第２実施例の高周波アブレーションカテーテルと構造的に類似している。その収縮状態は図２５を参照してもよい。図２６Ａ及び図２６Ｂはそれぞれ、この高周波アブレーションカテーテルの制御ハンドル２０が異なる状態である場合の使用状態模式図である。
【００６０】
具体的に、電極支持体内に螺旋定型ワイヤ６が設けられている。カテーテル本体及び電極支持体内に支持ワイヤ７が設けられている。そのうち、支持ワイヤ７の電極支持体に対応する部分は、電極支持体外に露出し、支持ワイヤ７のカテーテル本体に対応する部分は、カテーテル本体における何れかの管腔内に設けられている。なお、その後端がカテーテル本体から突き抜けた後に制御ハンドル２０に設けられた制御部品２５に固定されている。支持ワイヤ７を引くことで、電極支持体の螺旋状の形態を変更することができる。支持ワイヤ７は密着調節ワイヤ８と兼用している。言い換えれば、密着調節ワイヤ８の後部は、カテーテル本体における何れかの管腔内に摺動可能に設けられてもよく、かつその後端が制御ハンドル２０に接続されている。密着調節ワイヤ８の前部は、孔１２にて電極支持体から突き抜けた後に電極支持体外に露出し、かつその前端が孔１１から電極支持体内に戻った後に、電極支持体の前端から突き抜けて外側に固定されたり規制されている。密着調節ワイヤ８はカテーテル本体の支持ワイヤと兼用している。密着調節ワイヤ８の前端には現像ヘッド及び／又はフレキシブルガイドワイヤ９が設けられてもよい。
【００６１】
図２６Ａ及び図２６Ｂに示されるように、この実施例において、制御ハンドル２０には、支持ワイヤ７に接続された制御部品２５が一つだけ設けられてもよい。この場合、制御部品２５は、電極支持体の伸縮状態を調整するためのものである。制御部品２５を図２６Ａに示された位置から後方に向かって図２６Ｂに示される位置に押すことで、支持ワイヤ７を後方へ引き、即ち、密着調節ワイヤ８を後方へ引き、電極支持体の螺旋状の直径を大きくすることができる。
【００６２】
第４実施例
図２７に示される高周波アブレーションカテーテルは第２実施例の高周波アブレーションカテーテルと構造的に類似している。図２８は、第４実施例における高周波アブレーションカテーテルの支持ワイヤ７の構造を示している。
【００６３】
この実施例では、密着調節ワイヤ８の構造は第２実施例と同一である。密着調節ワイヤ８の後部は、カテーテル本体における何れかの管腔内に摺動可能に設けられ、かつその後端が制御ハンドル２０に設けられた制御部品２２に接続したり、制御ハンドル２０から突き抜けた後に外付けの制御部品２２に接続している。密着調節ワイヤ８の前部は、孔１２にて電極支持体から突き抜けた後に電極支持体外に露出し、かつその前端が孔１１から電極支持体内に戻った後に、電極支持体の前端に固定されてもよく、支持ワイヤ７の前端に固定されてもよく、或いは、電極支持体及びカテーテル本体内の対応する管腔を通過してカテーテル本体の後端に戻り、密着調節ワイヤ８の後端とともに制御ハンドル２０のケース又は制御部品２２に固定されてもよい。制御部品２２を引くことにより、電極支持体の螺旋部の直径が変更されてもよい。
【００６４】
この実施例では、螺旋定型ワイヤが独立して設けられていない。そのうち、図２８に示されるように、予め定型することで、支持ワイヤ７の前部の電極支持体に対応する部分は、螺旋状に定型され、螺旋定型部７６を構成している。支持ワイヤ７は、電極支持体とカテーテル本体とにおける何れかの管腔に固定して設けられていると、電極支持体の対応する部分は螺旋状になってもよい。
【００６５】
第２実施例及び第４実施例では、密着調節ワイヤ８は、支持ワイヤ７とともにカテーテル本体の同一の管腔に設けられてもよく、それぞれカテーテル本体の単一の管腔に独立して設けられてもよい。
【００６６】
第５実施例
図２９に示された高周波アブレーションカテーテルは、第２実施例の高周波アブレーションカテーテルと構造的に類似している。図３０は、第５実施例における高周波アブレーションカテーテルの支持ワイヤ７及び密着調節ワイヤ８の構造を示している。そのうち、支持ワイヤ７、密着調節ワイヤ８と螺旋定型ワイヤ６は一体して設けられている。
この実施例では、カテーテル本体と電極支持体内に支持ワイヤ７が設けられている。なお、電極支持体内には螺旋定型ワイヤが独立して設けられていない。そのうち、図３０に示されるように、予め定型することで、支持ワイヤ７の前部の電極支持体に対応する部分は螺旋状に定型され、螺旋定型部７６を構成している。
【００６７】
密着調節ワイヤ８と支持ワイヤ７は一体して設けられている。密着調節ワイヤ８の前端は支持ワイヤ７に固定されている。或いは、密着調節ワイヤ８は支持ワイヤ７から外側へ分岐された細いワイヤである。密着調節ワイヤ８の前部は孔１１にて電極支持体から突き抜けた後に電極支持体外に露出し、かつ孔１２から電極支持体／カテーテル本体内に戻り、その後に、その後部はカテーテル本体内における何れかの管腔を摺動可能に通過してカテーテル本体の後端に戻り、制御部品２２に固定されている。制御部品２２を引くことにより、電極支持体の螺旋部の直径が変更されてもよい。
【００６８】
この実施例では、密着調節ワイヤ８の後部は、支持ワイヤ７とともにカテーテル本体における何れかの管腔に設けられてもよく、カテーテル本体における別の管腔に独立して設けられてもよい。
【００６９】
第６実施例
図３１Ａと図３１Ｂは、第６実施例における高周波アブレーションカテーテルの構造模式図である。
【００７０】
図２０Ｂ及び図２３Ｂに示されるように、第２実施例乃至第５実施例では、密着調節ワイヤ８がカテーテル本体の偏心管腔に設けられ、その電極支持体外に露出している部分は、依然として電極支持体螺旋状の中心位置の付近に位置している。密着調節ワイヤ８を後方へ引くときに、電極支持体は軸方向に収縮を生じ、密着調節ワイヤ８は螺旋状の中心位置を貫通している。電極支持体の螺旋状が略直線に引き伸ばしたときに、密着調節ワイヤ８の電極支持体外に露出している部分は、電極支持体のアウターチューブ１と略並行している。
【００７１】
上記第２実施例乃至第５実施例と異なり、第６実施例では、密着調節ワイヤ８は、電極支持体の螺旋状の中心位置の付近に設けられておらず、螺旋状の外周位置に偏心して設けられている。図３１Ａ及び図３１Ｂに示されるように、密着調節ワイヤ８が電極支持体の螺旋状の外周位置に偏心して設けられているときに、密着調節ワイヤ８の電極支持体外に露出している部分は、螺旋状内を通過せず、螺旋状の外側を迂回している。密着調節ワイヤ８を後方へ引くときに、電極支持体における２つの孔１１、１２の間にある一周又は一周以上の螺旋部は、収縮変形を発生し、新しい螺旋状になり、螺旋状の既存直径を大きくし、直径の拡張を実現した。
【００７２】
このような設置方式によって、収縮後の螺旋状の直径を極大に大きくすることができる。好適な場合、電極支持体は、直径が電極支持体の単一の螺旋部の直径よりも大きい血管に適用してもよい。人体の血管の直径範囲が一定しているため、高周波アブレーションカテーテルが血管に入って血管内を移動しやすくするように、高周波アブレーションカテーテルにおける電極支持体の螺旋状の最初の直径を大幅に小さくすることができる。
【００７３】
第７実施例
図３２Ａ乃至図３４Ｂに示されるのは、本発明から提供される第７実施例における高周波アブレーションカテーテルの構造模式図である。そのうち、密着調節ワイヤ８の電極支持体外に露出している部分と、電極支持体との間に固定点がある。密着調節ワイヤ８の前端及び後端は、カテーテル本体の後端から突き抜け、制御ハンドル２０に設けられたり制御ハンドル２０外に設けられている対応する制御部品に固定されている。
【００７４】
図３２Ａ及び図３２Ｂに示されるように、密着調節ワイヤ８がピンと張っていない場合に、密着調節ワイヤ８の電極支持体外に露出している部分は弛んだ。密着調節ワイヤ８の電極支持体外に露出している何れかの点は、電極支持体における何れかの螺旋部に固定されている。この点はアウターチューブに直接固定されてもよく、アウターチューブに設けられた孔に固定されてもよい。電極支持体の滑らかな外壁を保持し、固定点の対象管腔への傷を回避するために、この固定点をアウターチューブ１の孔に設けることが薦められている。
【００７５】
具体的に、図３３に示されるように、この実施例では、密着調節ワイヤ８と電極支持体との中央部には固定点１３がある。密着調節ワイヤ８の前部８１は固定点１３から前方に向かって電極支持体外を迂回して、電極支持体の前端に近い孔１１から電極支持体内に戻り、電極支持体及びカテーテル本体内の管腔を経由して制御ハンドル２０に戻った。密着調節ワイヤ８の後部８２は固定点１３から後方に向かって電極支持体外を迂回して、電極支持体後端に近い孔１２から電極支持体内に戻り、電極支持体及びカテーテル本体内の管腔を経由して制御ハンドル２０に戻った。密着調節ワイヤ８の前部８１と後部８２は、電極支持体及びカテーテル本体における同一の管腔を経由して制御ハンドル２０に戻ってもよく、図３３に示されるように異なる管腔を経由して各々制御ハンドル２０に戻ってもよい。制御ハンドル２０には、密着調節ワイヤ８の前部８１の末端及び後部８２の末端を固定するように制御部品が１つ設けられてもよく、密着調節ワイヤ８の前部８１の末端及び後部８２の末端をそれぞれ固定して密着調節ワイヤ８の前部８１及び後部８２をそれぞれ制御するための制御部品が２つ設けられてもよい。
【００７６】
密着調節ワイヤ８の前部８１は、孔１１と固定点１３との間に位置している電極支持体における１周又は複数周の螺旋部の直径の拡張を制御するためのものである。密着調節ワイヤ８の後部８２は、孔１２と固定点１３との間に位置している電極支持体における１周又は複数周の螺旋部の直径の拡張を制御するためのものである。図３４Ａ及び図３４Ｂに示されるように、密着調節ワイヤ８の後部８２をピンと張るときに、固定点１３は電極支持体の孔１２に接近し、両者間にある１周の螺旋部の直径は、ますます電極支持体の螺旋状の最初の直径ΦＢに接近し、より良い密着効果を奏するようになる。１周よりも多くなる螺旋部は、新しい螺旋状に変形し、その直径が電極支持体の螺旋状の最初の直径ΦＢを超え、直径の拡張を発生する。同様に、密着調節ワイヤ８の前部８１をピンと張る場合、電極支持体の孔１１は固定点１３に接近し、両者間にある１周の螺旋部の直径は、ますます電極支持体の螺旋状の最初の直径ΦＢに近くなり、より良い密着効果を奏するようになる。１周よりも多くなる螺旋部は、新しい螺旋状に変形し、その直径が同様に電極支持体の螺旋状の最初の直径ΦＢを超え、直径の拡張を発生し、より大きい密着の直径ができ、より優れた密着効果を奏するようになる。
【００７７】
密着調節ワイヤの前部８１及び後部８２は、それぞれに対応して接続する２つの単一の制御部品によって各々に制御され、電極支持体において異なる部位の直径を単独で調整するようになってもよく、同一の制御部品によって制御を統一的に行い、電極支持体の複数の螺旋部全体の直径の拡張を制御するようになってもよい。なお、密着調節ワイヤ前部８１の末端と後部８２の末端がそれぞれ異なる制御部品に設けられている場合に、同時に密着調節ワイヤの前部８１及び後部８２を引くことで、電極支持体において異なる部位を同時に変形させ、電極支持体全体の直径を調整し、図３４Ａに示される軸方向の収縮効果を奏し、その直径の拡張後の螺旋直径が図３４Ｂに示される効果を奏することができる。密着調節ワイヤ８の前部８１及び後部８２はそれぞれ、電極支持体において孔１２と固定点１３との間、及び孔１１と固定点１３との間にある１周又は複数周の螺旋部の直径の拡張を制御してもよい。拡張した後の直径を図３２Ｂに示されるオリジナルな直径と等しくし、ひいてはそれ以上にし、より優れた密着効果を奏してもよく、かつ直径がより大きな範囲で変化可能な対象管腔に配慮してもよい。
【００７８】
第８実施例
第８実施例では、高周波アブレーションカテーテル内に設けられた密着調節ワイヤ８は複数本のワイヤからなっている。そのうち、各本のワイヤの前端は電極支持体に固定され、後端は外側から電極支持体における一部の螺旋部を迂回した後に電極支持体又はカテーテル本体内に入り、その後にカテーテル本体の管腔を経由してカテーテル本体の末端から突き抜け、制御ハンドル２０に設けられた対応する制御部品に固定されたり、制御ハンドル２０を通過した後に外付けの対応する制御部品に設けられている。複数本のワイヤはそれぞれ、電極支持体において異なる螺旋部の直径を独立して制御するためのものである。
【００７９】
図３５に示される構造では、密着調節ワイヤ８は、２本のワイヤ８４、８５からなり、その前端が共に電極支持体における何れかの点に固定され、固定点８３が形成され、後端がそれぞれ電極支持体において異なる螺旋部を迂回して電極支持体又はカテーテル本体内に入り、電極支持体及びカテーテル本体内の管腔を経由して後端に戻り、制御ハンドル２０において対応する制御部品に固定されている。このように２本のワイヤを有する密着調節ワイヤ８の構造は、第７実施例の構造とほぼ同じであり、制御電極支持体の前部及び後部における螺旋部の直径の拡張をそれぞれ制御することができる。或いは、第７実施例における構造を、第８実施例において密着調節ワイヤ８が２本のワイヤを用いる場合の構造と直接見なして捉えることができる。
【００８０】
密着調節ワイヤ８は２本以上のワイヤを有する場合に、各本のワイヤの前端が電極支持体に固定され、前端に近い（即ち固定点に近い）部分は、電極支持体外に露出し、後端が電極支持体において異なる位置に設けられた孔から電極支持体内に入り、電極支持体及びカテーテル本体内において同一の管腔又は異なる管腔を経由して制御ハンドル２０に戻り、対応する制御部品に固定されている。そのうち、複数本のワイヤの電極支持体への固定点は、同じであってもよく、異なってもよく、完全に同じなものではなくてもよい。複数本のワイヤの電極支持体への固定点が完全に同じなものではない場合に、各２本のワイヤは、電極支持体において一つの共通の固定点を有してもよい。２本のワイヤの構造は図３５に示される構造を参照して設けてもよい。複数本のワイヤの電極支持体への固定点が同じである場合に、図３６Ａに示されるように異なるワイヤの前端を電極支持体の前端Ａに固定してもよく、その後に、各本のワイヤの後端がそれぞれ電極支持体において異なる孔Ｂ、Ｃ、Ｄ及びより多くの孔から電極支持体内に入り、電極支持体及びカテーテル本体を経由してカテーテル本体の末端から突き抜け、複数本のワイヤの末端Ｅはそれぞれ対応する制御部品に固定されている。図３６Ｂに示されるように、異なるワイヤの前端を電極支持体後部の一方側Ｄ’に固定し、その後に各本のワイヤの後端が電極支持体において前部に位置している異なる孔Ａ’、Ｂ’、Ｃ’及びより多くの孔から電極支持体内に入り、電極支持体及びカテーテル本体を経由してカテーテル本体の末端から突き抜け、複数本のワイヤの末端Ｅ’はそれぞれ、制御ハンドル２０に設けられた対応する制御部品又は外付けの対応する制御部品に固定されている。各本のワイヤは、電極支持体において異なる位置から電極支持体内に入り、単一のワイヤを引くことで、このワイヤの前端にある固定点と、このワイヤが電極支持体に入った位置との間の螺旋部の直径の変化を制御することができる。勿論、上記複数本のワイヤは、制御ハンドル２０において同一の制御部品に固定されてもよく、電極支持体全体の直径を調整するようになる。
【００８１】
複数の制御部品で電極支持体において異なる螺旋部をそれぞれ制御する場合に、この高周波アブレーションカテーテルが対象位置に入った後に、需要に応じて、電極支持体において対応する螺旋部を段階的に拡張し、即ち、高周波が必要な螺旋部だけを拡張し、電極支持体において異なる螺旋部の直径を調整する場合に自由度を増大し、高周波アブレーションカテーテル密着の調整の難易度を低くした。
【００８２】
以上、螺旋構造の高周波アブレーションカテーテルには密着調節ワイヤが設けられている。密着調節ワイヤを後方へ引くことで、電極支持体の螺旋状の直径を変更し、電極の密着状態を改良し、この高周波アブレーションカテーテルを、直径の異なる血管に適用することができる。また、上記密着調節ワイヤは、複数本のワイヤの構造を用いてもよく、高周波アブレーションカテーテルにおいて異なる螺旋部をそれぞれ制御し、直径調整の難易度を簡素化した。
【００８３】
実際の臨床治療にあたって、本発明から提供される高周波アブレーションカテーテル及び高周波アブレーション機器は、異なる部位、複数種類の異なる直径の血管又は気管の神経アブレーションに適用すし、例えば、腎動脈内の神経アブレーションによる難治性高血圧患者の治療に適用し、腹腔動脈内の神経アブレーションによる糖尿病患者の治療に適用し、さらに、応用于気管／気管支の交感神経分岐のアブレーションによる哮喘患者の治療に適用し、十二指腸の交感神経分岐のアブレーションによる十二指腸の潰瘍患者の治療に適用し、或いは、腎盂、肺動脈などにおける他の血管又は気管内の神経アブレーションに用いられてもよい。説明すると、本発明から提供される高周波アブレーションカテーテルは、臨床治療にあたって上記列挙された適用に限られず、他の部位の神経アブレーションに用いられてもよい。
【００８４】
以上、本発明から提供される螺旋構造の高周波アブレーションカテーテルについて説明した。本発明は、同時に上記高周波アブレーションカテーテルを含む高周波アブレーション機器を提供している。この高周波アブレーション機器は、上記高周波アブレーションカテーテルを含む他、上記高周波アブレーションカテーテルに接続した高周波アブレーションホストをさらに含む。そのうち、電極支持体における支持密着調節ワイヤ（及びその分岐調節ワイヤ）又は密着調節ワイヤは、カテーテル本体を通過した後に制御ハンドルに対応的に接続し、制御ハンドルで支持密着調節ワイヤを引くことで、対象管腔に入りやすくして対象管腔によく密着するように電極支持体の形状を変更することができる。制御ハンドルで密着調節ワイヤを引くことで、電極支持体を異なる直径の対象管腔に良く密着するように電極支持体の形状を変更することができる。なお、電極支持体における高周波ケーブル、熱電対の素線はそれぞれ、カテーテル本体を通過して高周波アブレーションホストにおいて対応する回路に接続し、高周波アブレーションホストの複数の電極への高周波制御及び温度のモニタリングを実現した。制御ハンドルの設置及び高周波アブレーションホストの設置は、開示された本出願人の先行特許出願を参照してもよいので、ここでその具体的な構造について詳細に述べない。
【００８５】
以上、本発明から提供される螺旋構造の高周波アブレーションカテーテル及びその機器を詳細に説明した。当業者にとって、本発明の実質的な精神を逸脱しないという前提でなされた如何なる自明な変更は、本発明の請求の範囲に属するものとする。
【符号の説明】
【００８６】
１ アウターチューブ
２ 電極
３ 高周波ケーブル
４ 素線
５ 絶縁層
６ 螺旋定型ワイヤ
７ 支持ワイヤ
８ 密着調節ワイヤ
９ ボタン制御部品
１０ 第２制御部品
１１ 孔
１２ 孔
１３ 固定点
１５ 孔
２０ 制御ハンドル
２１ ボタン制御部品
２２ 制御部品
２５ 制御部品
６１ 軟性部
６２ 剛性部
６３ 現像ヘッド
６４ ストレートヘッド型フレキシブルガイドワイヤ
６５ エルボ型フレキシブルガイドワイヤ
６６ 分岐調節ワイヤ
６７ 末端
６８ 末端
７０ 末端
７６ 螺旋定型部
８０ 後端
８１ 前部
８２ 後部
８３ 固定点
８４ ワイヤ
８５ ワイヤ
【図１ａ】
2020116423.tif 000003
【図１ｂ】
2020116423.tif 000004
【図１ｃ】
2020116423.tif 000005
【図２】
2020116423.tif 000006
【図３】
2020116423.tif 000007
【図４】
2020116423.tif 000008
【図５】
2020116423.tif 000009
【図６ａ】
2020116423.tif 000010
【図６ｂ】
2020116423.tif 000011
【図７ａ】
2020116423.tif 000012
【図７ｂ】
2020116423.tif 000013
【図８】
2020116423.tif 000014
【図９】
2020116423.tif 000015
【図１０】
2020116423.tif 000016
【図１１】
2020116423.tif 000017
【図１２】
2020116423.tif 000018
【図１３】
2020116423.tif 000019
【図１４】
2020116423.tif 000020
【図１５】
2020116423.tif 000021
【図１６】
2020116423.tif 000022
【図１７】
2020116423.tif 000023
【図１８】
2020116423.tif 000024
【図１９】
2020116423.tif 000025
【図２０Ａ】
2020116423.tif 000026
【図２０Ｂ】
2020116423.tif 000027
【図２１】
2020116423.tif 000028
【図２２】
2020116423.tif 000029
【図２３Ａ】
2020116423.tif 000030
【図２３Ｂ】
2020116423.tif 000031
【図２４】
2020116423.tif 000032
【図２５】
2020116423.tif 000033
【図２６Ａ】
2020116423.tif 000034
【図２６Ｂ】
2020116423.tif 000035
【図２７】
2020116423.tif 000036
【図２８】
2020116423.tif 000037
【図２９】
2020116423.tif 000038
【図３０】
2020116423.tif 000039
【図３１Ａ】
2020116423.tif 000040
【図３１Ｂ】
2020116423.tif 000041
【図３２Ａ】
2020116423.tif 000042
【図３２Ｂ】
2020116423.tif 000043
【図３３】
2020116423.tif 000044
【図３４Ａ】
2020116423.tif 000045
【図３４Ｂ】
2020116423.tif 000046
【図３５】
2020116423.tif 000047
【図３６Ａ】
2020116423.tif 000048
【図３６Ｂ】
2020116423.tif 000049
【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
長尺状のカテーテル本体を有し、
前記カテーテル本体の前端には螺旋状の電極支持体が設けられ、前記電極支持体には１つ又は複数の電極が設けられ、前記カテーテル本体の後端には制御ハンドルが設けられている、螺旋構造の高周波アブレーションカテーテルであって、
密着調節ワイヤの後部は、前記カテーテル本体における何れかの管腔内に摺動可能に設けられ、かつその後端が前記制御ハンドルに設けられた制御部品に接続されたり、前記制御ハンドルを通過した後に外付けの制御部品に接続され、
前記密着調節ワイヤの前部は、前記電極支持体を突き抜けた後に、前記電極支持体外に露出し、かつその前端が電極支持体内に戻って固定されていることを特徴とする螺旋構造の高周波アブレーションカテーテル。
【請求項２】
前記密着調節ワイヤの前端は、電極支持体内に戻った後に、前記電極支持体及び前記カテーテル本体内の管腔を経由してカテーテル本体の後端に戻り、前記制御ハンドル、又は前記制御部品に固定されていることを特徴とする請求項１に記載の螺旋構造の高周波アブレーションカテーテル。
【請求項３】
前記カテーテル本体と前記電極支持体とにおける何れかの管腔に固定して設けられている支持ワイヤをさらに含み、
前記支持ワイヤの前記電極支持体内における部分は、螺旋状に定型され、螺旋定型部になっていることを特徴とする請求項２に記載の螺旋構造の高周波アブレーションカテーテル。
【請求項４】
前記密着調節ワイヤの前端は、電極支持体内に戻った後に、前記電極支持体の前端を通過して外側に固定、又は規制され、
前記密着調節ワイヤは、支持ワイヤと兼用していることを特徴とする請求項１に記載の螺旋構造の高周波アブレーションカテーテル。
【請求項５】
前記カテーテル本体と前記電極支持体とにおける何れかの管腔に設けられた支持ワイヤをさらに含み、かつ、前記密着調節ワイヤの前端は、支持ワイヤに固定され、或いは、前記密着調節ワイヤは、前記支持ワイヤから外側へ分岐された細いワイヤであることを特徴とする請求項１に記載の螺旋構造の高周波アブレーションカテーテル。
【請求項６】
前記支持ワイヤの前記電極支持体内における部分は、螺旋状に定型され、螺旋定型部になっていることを特徴とする請求項５に記載の螺旋構造の高周波アブレーションカテーテル。
【請求項７】
前記密着調節ワイヤの前記電極支持体外に露出している部分と前記電極支持体との間に固定点が存在しており、前記密着調節ワイヤの前端と後端は、それぞれカテーテル本体の後端から突き抜けて前記制御ハンドルに設けられた対応する制御部品に固定され、又は前記制御ハンドルを通過した後に外付けの対応する制御部品に接続されていることを特徴とする請求項１に記載の螺旋構造の高周波アブレーションカテーテル。
【請求項８】
長尺状のカテーテル本体を有し、
前記カテーテル本体の前端には螺旋状の電極支持体が設けられ、前記電極支持体には１つ又は複数の電極が設けられ、前記カテーテル本体の後端には制御ハンドルが設けられている、螺旋構造の高周波アブレーションカテーテルであって、
密着調節ワイヤは、複数本のワイヤからなり、各ワイヤの前端が電極支持体に固定され、後端が外側から電極支持体における一部の螺旋部を引き回した後に電極支持体又はカテーテル本体内に入り込み、その後に、カテーテル本体の管腔を経由してカテーテル本体の末端から突き抜けて前記制御ハンドルに設けられた対応する制御部品に固定され、又は前記制御ハンドルを通過した後に外付けの対応する制御部品に接続され、前記複数本のワイヤはそれぞれ、前記電極支持体において異なる螺旋部の直径を独立して制御することを特徴とする螺旋構造の高周波アブレーションカテーテル。
【請求項９】
前記複数本のワイヤのうち各２本のワイヤは、電極支持体において１つの共通の固定点を有することを特徴とする請求項８に記載の螺旋構造の高周波アブレーションカテーテル。
【請求項１０】
各本のワイヤは、電極支持体において異なる位置から電極支持体内に入り込むことを特徴とする請求項８に記載の螺旋構造の高周波アブレーションカテーテル。
【外国語明細書】
2020116423000001.pdf